(57)【要約】【課題】外部装置の着脱時に、コネクタにかかる負荷を低減する基板支持構造を提供する。【解決手段】回路基板２０を弾性体である支持ゴム２１で挟持する。また、外部装置１００の着脱時にコネクタ１５に対して正面側に力が加えられて回路基板２０および支持ゴム２１がＺ方向に引っ張られた場合、延出部２１２が支点となり、上部板状部材２１１の−Ｙ方向側だけがＺ方向に揺動する。支持ゴム２１は、延出部２１２および下面２１４２によって挟み込まれているため、Ｚ方向およびＹ方向に引っ張られたとしても上部固定部材４１および下部固定部材３１から外れることはない。これにより、外部装置１００の着脱時にコネクタ１５の突出方向を鉛直方向に近く、あるいは鉛直方向に一致させることができ、コネクタ１５にかかる負荷を低減することができる。【選択図】図２
2013114871.tif 000002
【特許請求の範囲】
【請求項１】
基板と、
前記基板の厚み方向に突出して前記基板の一方の面に設けられ、外部装置を装着するコネクタと、
前記コネクタを露出させる孔部を有し、前記基板を前記一方の面および他方の面から挟持し、前記基板を前記挟持箇所を支点とし、前記厚み方向に揺動可能とさせる弾性体と、
を備え、前記弾性体の一部が装置本体に固定されることを特徴とする基板支持構造。
【請求項２】
前記弾性体は、
前記基板の前記一方の面に接触し、前記孔部が設けられた上部板状部材と、
前記基板の前記他方の面に接触する下部板状部材と、
を備え、
前記上部板状部材と前記下部板状部材とは、一体成型されてなり、前記上部板状部材および前記下部板状部材で前記基板を挟持することを特徴とする請求項１に記載の基板支持構造。
【請求項３】
前記弾性体を挟持するとともに前記装置本体に固定される固定部材を備え、
前記弾性体は、端部の一部において前記固定部材に挟持されることにより、前記装置本体に固定されることを特徴とする請求項１または請求項２に記載の基板支持構造。
【請求項４】
前記弾性体は、端部の一部において前記装置本体に挟持されることにより、前記装置本体に固定されることを特徴とする請求項１または請求項２に記載の基板支持構造。
【請求項５】
前記弾性体は、溝部を有し、
前記装置本体に固定するための部材が当該溝部に挿入されることを特徴とする請求項１乃至請求項４のいずれかに記載の基板支持構造。
【請求項６】
前記弾性体は、突起部を有し、
前記装置本体に固定するための部材に当該突起部が挿入されることを特徴とする請求項１乃至請求項５のいずれかに記載の基板支持構造。
【請求項７】
前記基板からの突出方向の延長線上に前記装置本体の筐体外装の一部が存在することを特徴とする請求項１乃至請求項６に記載の基板支持構造。
【請求項８】
前記コネクタは、
前記基板からの突出方向が、前記基板の一方の面の法線方向に対して傾斜して設けられている請求項１乃至請求項７のいずれかに記載の基板支持構造。
【発明の詳細な説明】
【技術分野】
【０００１】
この発明は、外部装置を装着するためのコネクタを備えた基板を支持する機構に関する。
【背景技術】
【０００２】
近年、携帯オーディオプレーヤ等の外部装置を接続するためのコネクタを有し、当該コネクタを介して外部装置から音楽データを入力することができるオーディオ機器が増えてきている。
【０００３】
このようなオーディオ機器は、例えば、特許文献１に記載されているように、コネクタが回路基板に対して傾斜されて設けられている場合がある。この場合、携帯機器を水平方向に対して傾斜させて、着脱させる必要がある。
【先行技術文献】
【特許文献】
【０００４】
【特許文献１】特開２００９−１１０６４５号公報
【発明の概要】
【発明が解決しようとする課題】
【０００５】
特許文献１のように外部装置を傾斜させて着脱する場合、外部装置の着脱時にコネクタに力が加わり、接触不良や破損が生じるおそれがあった。
【０００６】
そこで、本発明は、外部装置の着脱時に、コネクタにかかる負荷を低減する基板支持構造を提供することを目的とする。
【課題を解決するための手段】
【０００７】
この発明の基板支持構造は、基板と、前記基板の厚み方向に突出して前記基板の一方の面に設けられ、外部装置を装着するコネクタと、前記コネクタを露出させる孔部を有し、前記基板を前記一方の面および他方の面から挟持し、前記基板を前記挟持箇所を支点とし、前記厚み方向に揺動可能とさせる弾性体と、を備え、前記弾性体の一部が装置本体に固定されることを特徴とする。
【０００８】
このように、本発明は、弾性体によって基板を挟持し、当該弾性体からコネクタを露出させる状態とするため、外部装置を傾斜させて着脱する場合に、外部装置の傾斜にあわせて弾性体とともに基板全体が揺動し、コネクタにかかる負荷を低減することができる。
【０００９】
また、弾性体は、具体的には、前記基板の前記一方の面に接触し、前記孔部が設けられた上部板状部材と、前記基板の前記他方の面に接触する下部板状部材と、を備え、前記上部板状部材と前記下部板状部材とは、一体成型されてなり、前記上部板状部材および前記下部板状部材で前記基板を挟持することを特徴とする。
【００１０】
このように、本発明の基板支持構造によれば、板状の部材で挟みこむことによって基板を強固に挟持しつつ、揺動量を大きくすることができる。
【００１１】
また、前記弾性体を挟持するとともに前記装置本体に固定される固定部材を備え、前記弾性体は、端部の一部において前記固定部材に挟持されることにより、前記装置本体に固定される態様も可能であるし、あるいは、弾性体は、端部の一部において前記装置本体に挟持されることにより、前記装置本体に固定される態様も可能である。
【００１２】
さらに、弾性体に溝を設け、前記装置本体に固定するための部材が当該溝部に挿入されることで、弾性体をより強固に装置本体に固定することも可能である。
【００１３】
また、弾性体に突起部を設け、前記装置本体に固定するための部材に当該突起部が挿入されることで、弾性体をより強固に装置本体に固定することも可能である。
【００１４】
なお、前記基板からの突出方向の延長線上に前記装置本体の筐体外装の一部が存在する場合、外部装置着脱時には、必ずコネクタを傾斜させる必要が生じるため、上記本発明の基板支持構造は非常に有効である。
【００１５】
さらに、コネクタの基板からの突出方向が、前記基板の一面の法線方向に対して傾斜して設けられている場合も外部装置着脱時に傾斜させる場合が多くなるため、上記本発明の基板支持構造は非常に有効である。
【発明の効果】
【００１６】
この発明によれば、外部装置の着脱時に、コネクタにかかる負荷を低減することができる。
【図面の簡単な説明】
【００１７】
【図１】オーディオ装置の外観斜視図である。
【図２】オーディオ装置１の内部に設置されている基板を支持するための構造を示す側面模式図である。
【図３】支持ゴムの斜視図である。
【図４】支持ゴム、上部固定部材、および下部固定部材の上面図、正面図、下面図、および側面図である。
【図５】支持ゴムを挟み込む構造を示す模式図である。
【図６】変形例１に係る支持ゴムの斜視図である。
【図７】図７（Ａ）は、変形例２に係る支持ゴムの斜視図であり、図７（Ｂ）は、変形例３に係る支持ゴムの斜視図である。
【図８】図８（Ａ）は、変形例４に係る支持ゴムの斜視図であり、図８（Ｂ）は、変形例５に係る支持ゴムの斜視図である。
【図９】図９（Ａ）は、変形例６に係る支持ゴムの斜視図であり、図９（Ｂ）は、変形例７に係る支持ゴムの斜視図である。
【発明を実施するための形態】
【００１８】
図１は、本発明の基板支持構造を備えたオーディオ装置の外観斜視図である。なお、本実施形態において、オーディオ装置の正面方向をＹ方向、背面方向を−Ｙ方向、右面方向をＸ方向、左面方向を−Ｘ方向、上面方向をＺ方向、下面方向を−Ｚ方向とする。
【００１９】
オーディオ装置１は、Ｘ方向から見た形状がＬ字型の筐体１０を備えている。筐体１０のうち、正面下方部分５には、スピーカ９および音量などを調整するためのダイヤル８が設けられている。図示しないが、筐体１０の背面には、電源ケーブルなどを接続するコネクタが設けられている。
【００２０】
筐体１０の上面前方部分１３には、外部装置１００を装着するためのコネクタ１５が露出している。外部装置１００は、音データを記憶するメモリを有する装置であって、例えば、携帯音楽プレーヤ、タブレット型コンピュータ、ＰＤＡ（Personal Digital Assistant）、携帯電話機などが挙げられる。オーディオ装置１は、コネクタ１５に外部装置１００が装着され、再生開始操作を受け付けると、外部装置１００に保存された音データを取得して、スピーカ９から放音する。
【００２１】
図２（Ａ）および図２（Ｂ）はオーディオ装置１の内部に設置されている基板を支持するための構造を示す側面模式図である。
【００２２】
コネクタ１５は、筐体１０の内部に配置される回路基板２０の一方の面に実装されている。上面前方部分１３には、コネクタ１５を露出させるための開口部１３１が設けられている。
【００２３】
コネクタ１５は、回路基板２０の実装面の法線方向ｎから背面方向に約１５度傾けた状態で回路基板２０から突出して設けられている。仮に、回路基板２０を水平に設置すると、コネクタ１５は、鉛直上方向（Ｚ方向）から背面方向（−Ｙ方向）に約１５度傾いた状態で露出することになる。
【００２４】
図２（Ａ）に示すように、本実施形態のオーディオ装置１では、回路基板２０は、水平方向から正面方向に約１０度傾けて設置されるため、コネクタ１５は、鉛直方向から背面方向に約５度傾いた状態で突出していることになる。したがって、外部装置１００についても、鉛直上方向から背面方向に約５度傾けてコネクタ１５に装着されることになる。
【００２５】
図２（Ａ）に示すように、コネクタ１５の突出方向の延長線上には、オーディオ装置本体の筐体外装の一部（正面上方部１４）が存在する。正面上方部１４は、コネクタ１５に外部装置１００を装着したとき、この外部装置１００の背面側に配置されて背もたれとして機能する。したがって、外部装置１００が背面方向に大きく傾くことがなく、コネクタ１５に大きな負荷がかかることがない。
【００２６】
一方、ユーザは、鉛直方向に外部装置１００を着脱するため、コネクタ１５の突出方向が鉛直上方向から背面方向に傾斜したままであると、外部装置１００をコネクタ１５から着脱する場合に、コネクタ１５に力が加わり、場合によってはコネクタ１５と回路基板２０との間の半田が剥離し、接触不良や破損が生じるおそれがある。また、外部装置１００がタブレット型コンピュータ等の大型機器になると、コネクタ１５に加わる力もより大きくなる。さらに、図２（Ａ）に示すように、コネクタ１５の突出方向の延長線上にオーディオ装置本体の筐体外装の一部（正面上方部１４）が存在すると、外部装置１００をコネクタ１５の突出方向に着脱しようとしても正面上方部１４に接触し、着脱することができない。したがって、外部装置１００の着脱時には、当該外部装置１００を必ず正面方向に傾斜させる必要がある。
【００２７】
そこで、図２（Ｂ）に示すように、本実施形態の基板支持構造では、回路基板２０を弾性体である支持ゴム２１で挟持し、正面方向に５度程度揺動可能とさせることで、外部装置１００の着脱時にコネクタ１５の突出方向を鉛直方向に近く、あるいは鉛直方向に一致させ、コネクタ１５にかかる負荷を低減するものである。以下、この支持ゴム２１で回路基板２０を揺動可能とさせるための基板支持構造について説明する。
【００２８】
図３は、支持ゴム２１の外観斜視図であり、図４（Ａ）は、支持ゴム２１、上部固定部材４１、および下部固定部材３１の上面図、図４（Ｂ）は、支持ゴム２１、上部固定部材４１、および下部固定部材３１の正面図、図４（Ｃ）は、支持ゴム２１、上部固定部材４１、および下部固定部材３１の下面図、図４（Ｄ）は、支持ゴム２１、上部固定部材４１、および下部固定部材３１の側面図である。図５（Ａ）は、支持ゴム２１を挟み込む上部固定部材４１および下部固定部材３１の分解模式図であり、図５（Ｂ）は支持ゴム２１を挟み込んだ状態を示す模式図である。
【００２９】
支持ゴム２１は、エラストマー等のゴム部材であり、薄い板状の部材である上部板状部材２１１および下部板状部材２１４を上下に２段重ねたような形状となっている。上部板状部材２１１および下部板状部材２１４は、金型により一体成型される。上部板状部材２１１には、コネクタ１５を露出させるための孔部２１３が設けられている。
【００３０】
上部板状部材２１１は、下部板状部材２１４よりも−Ｙ方向に向かって長くなっており、下部板状部材２１４は、上部板状部材２１１よりもＹ方向に向かって長くなっている。また、下部板状部材２１４は、上部板状部材２１１よりもＸ方向および−Ｘ方向に向かって長くなっている。したがって、下部板状部材２１４のうち、Ｙ方向、Ｘ方向および−Ｘ方向には延出部２１２が設けられ、支持ゴム２１全体としては、端部の一部に段差がある板状の部材となっている。
【００３１】
上部板状部材２１１の上面２１１１は、ほぼ平らであり、筐体１０に対して水平に設置される。下面２１１２は、上面２１１１に対して上面側に１０度程度斜めに傾いており、筐体１０に対して水平から上面側に１０度程度斜めに傾いて設置される。また、下部板状部材２１４の上面２１４１および下面２１４２は、下面２１１２に平行な面となっており、筐体１０に対して水平から上面側に１０度程度斜めに傾いて設置される。なお、上部板状部材２１１の上面２１１１の−Ｙ方向端部は、回路基板２０の目隠しとして機能する。
【００３２】
なお、下部板状部材２１４の中央部分は、切り欠きが設けられているが、これは、部材の使用量を減らすためであり、必須の要素ではない。
【００３３】
回路基板２０は、孔部２１３にコネクタ１５が挿入され、このコネクタ１５が設けられている一方の面が上部板状部材２１１の下面２１１２に接触し、他方の面が下部板状部材２１４の上面２１４１に接触する。これにより、回路基板２０は、支持ゴム２１に挟持されることになる。また、回路基板２０は、孔部２１３から突出するコネクタ１５によって支持ゴム２１に固定されることになり、外部装置１００の着脱時に回路基板２０が揺動した場合でも支持ゴム２１から外れることはない。
【００３４】
そして、支持ゴム２１は、オーディオ装置本体（筐体１０）に固定される。本実施形態では、図５に示すように、支持ゴム２１は、上部固定部材４１および下部固定部材３１を介して筐体１０に固定される例を示すが、これら固定部材を介さずに直接、筐体１０に固定される態様であってもよい。
【００３５】
上部固定部材４１および下部固定部材３１は、それぞれ薄い板状の樹脂部材であり、金型による一体成型で製造される。
【００３６】
上部固定部材４１は、上面および下面から見た形状が長方形状であり、中心は長方形状の切り欠き４１４が設けられている。この切り欠き４１４に対応する位置に回路基板２０および支持ゴム２１が配置され、切り欠き４１４内の空間で回路基板２０が揺動することになる。なお、上部固定部材４１は、Ｙ方向側の一部がＸ方向および−Ｘ方向に延び、上面および下面から見た形状が台形状であり、−Ｚ方向に向かって緩やかに曲げられている。このような形状は、筐体への取り付け部分にあわせたものであり、必須の要素ではない。
【００３７】
上部固定部材４１は、中心付近に設けられた切り欠き４１４よりもＹ方向側の端部４１１において、支持ゴム２１の延出部２１２と接触する。そして、上部固定部材４１は、ねじ穴４１２を２つ有し、下部固定部材３１をねじ止めして固定することができるようになっている。
【００３８】
下部固定部材３１は、Ｘ方向および−Ｘ方向に長く、Ｙ方向および−Ｙ方向に短く、上面および下面から見た形状が長方形状の板状部材である。下部固定部材３１は、ねじ穴４１２に対応する位置にねじ穴３１２を有し、支持ゴム２１を挟んで上部固定部材４１にねじ止めされ、固定されるようになっている。
【００３９】
また、下部固定部材３１は、下面に受け部３１１を有している。受け部３１１は、下部板状部材２１４の下面２１４２の下面形状に一致し、当該下部固定部材３１と上部固定部材４１で支持ゴム２１を挟みこんだときに、下面２１４２を押し付けるようになっている。
【００４０】
したがって、図５（Ａ）および図５（Ｂ）に示すように、下部板状部材２１４は、下面２１４２が受け部３１１によって全体で支えられ、上部板状部材２１１はＹ方向端部、Ｘ方向端部、および−Ｘ方向端部の延出部２１２で支えられることになる。よって、下部板状部材２１４は、−Ｙ方向あるいは−Ｚ方向に力を加えたとしても大きく変形することがない。
【００４１】
上述したように、正面上方部１４が外部装置１００の背面側に配置されて背もたれとして機能するが、下部板状部材２１４が大きく変形することがないため、回路基板２０自体が−Ｙ方向あるいは−Ｚ方向に大きく動くことがない。
【００４２】
また、外部装置１００の着脱時にコネクタ１５に対して正面側に力が加えられて回路基板２０および支持ゴム２１がＺ方向に引っ張られた場合、延出部２１２が支点となり、上部板状部材２１１の−Ｙ方向側だけがＺ方向に揺動することになる。支持ゴム２１は、延出部２１２および下面２１４２によって挟み込まれているため、Ｚ方向およびＹ方向に引っ張られたとしても上部固定部材４１および下部固定部材３１から外れることはない。
【００４３】
また、下部板状部材２１４の下面２１４２は、水平から上面側に１０度程度斜めに傾き、上部板状部材２１１の延出部２１２は水平であるため、支持ゴム２１が−Ｙ方向に引っ張られたとしても上部固定部材４１および下部固定部材３１から外れることはない。
【００４４】
したがって、本実施形態の基板支持構造によれば、コネクタ１５を正面方向にだけ約５度揺動可能とさせることができ、外部装置１００の着脱時のコネクタ１５にかかる負荷を低減することができる。
【００４５】
なお、本発明の基板支持構造は、図２乃至図５に示した構造例に限るものではない。例えば、以下に示すように種々の変形例が可能である。
【００４６】
図６（Ａ）は、変形例１に係る支持ゴム５１の外観斜視図であり、図６（Ｂ）は変形例１に係る支持ゴム５１を挟み込む構造を示す模式図である。なお、図２乃至図５で示した支持ゴム２１と同様の構成については同一の符号を付し、その説明を省略する。
【００４７】
図６（Ａ）および図６（Ｂ）に示すように、変形例１に係る支持ゴム５１は、延出部２１２が存在しない。そして、上部固定部材４２は、Ｙ方向側の端部４２１において、支持ゴム５１の上面５１１１と接触する。
【００４８】
このように、延出部２１２がなくとも、支持ゴム５１は、上部固定部材４２および下部固定部材３１に挟み込まれ、筐体１０に固定される。支持ゴム５１は、Ｙ方向の端部を支点として揺動するため、コネクタ１５を正面方向にだけ約５度揺動可能とさせることができ、外部装置１００の着脱時のコネクタ１５にかかる負荷を低減することができる。
【００４９】
次に、図７（Ａ）は、変形例２に係る支持ゴム６１の外観斜視図であり、図７（Ｂ）は変形例２に係る支持ゴム６１を挟み込む構造を示す模式図である。なお、図６で示した支持ゴム５１と同様の構成については同一の符号を付し、その説明を省略する。
【００５０】
図７（Ａ）および図７（Ｂ）に示す支持ゴム６１は、上部板状部材６１１の上面６１１１のＹ方向の端部付近に直方体状の溝６１２が設けられている。支持ゴム６１は、この溝６１２に上部固定部材４２の端部４２１に設けられた直方体形状の突起部４２１１がはめ込まれ、筐体１０に固定される。したがって、図６で示した支持ゴム５１よりも強固に筐体１０に固定することができる。
【００５１】
次に、図８（Ａ）は、変形例３に係る支持ゴム７１の外観斜視図であり、図８（Ｂ）は変形例３に係る支持ゴム７１を挟み込む構造を示す模式図である。なお、図６で示した支持ゴム５１と同様の構成については同一の符号を付し、その説明を省略する。
【００５２】
図８（Ａ）および図８（Ｂ）に示す支持ゴム７１は、上部板状部材７１１の上面７１１１のＹ方向の端部付近、かつＸ方向および−Ｘ方向の端部付近に円柱形状の突起部７１２が２つ設けられている。支持ゴム７１は、この突起部７１２に上部固定部材４２の端部４２１に設けられた２つの孔部４２１２がはめ込まれ、筐体１０に固定される。したがって、この変形例３においても、図６で示した支持ゴム５１よりも強固に筐体１０に固定することができる
次に、図９（Ａ）は、変形例４に係る支持ゴム８１の外観斜視図である。変形例４に係る支持ゴム８１は、図３に示した支持ゴム２１と同様の構造を有するが、Ｘ方向および−Ｘ方向の延出部がなく、Ｙ方向にのみ延出部８１２が設けられ、当該Ｙ方向にのみ段差を有する形状となっている。この場合、支持ゴム８１は、Ｙ方向端部の延出部８１２だけで上部固定部材４１および下部固定部材３１に挟み込まれる。この場合も、外部装置１００の着脱時にコネクタ１５に対して正面側に力が加えられて回路基板２０および支持ゴム２１がＺ方向に引っ張られた場合、延出部８１２が支点となり、上部板状部材２１１の−Ｙ方向側だけがＺ方向に揺動することになる。
【００５３】
次に、図９（Ｂ）は変形例５に係る支持ゴム９１の外観斜視図である。変形例５に係る支持ゴム９１は、図９（Ａ）に示した支持ゴム９１の延出部８１２の上面のうち、Ｘ方向端部付近および−Ｘ方向端部付近に２つの突起部９１２が設けられたものである。
【００５４】
この場合、図８で示したように、支持ゴム９１は、２つの突起部９１２に上部固定部材の孔部がはめ込まれ、筐体１０に固定されるため、図９（Ａ）で示した支持ゴム８１よりも強固に筐体１０に固定することができる。
【００５５】
次に、図１０（Ａ）は、変形例６に係る支持ゴム９５の外観斜視図である。変形例６に係る支持ゴム９５は、図３に示した支持ゴム２１と同様の構造を有するが、Ｙ方向に延出部がなく、Ｘ方向および−Ｘ方向に延出部９５２が設けられ、当該Ｘ方向および−Ｘ方向に段差を有する形状となっている。この場合、支持ゴム９５は、Ｘ方向および−Ｘ方向端部の延出部９５２で上部固定部材４１および下部固定部材３１に挟み込まれる。この場合においても、外部装置１００の着脱時にコネクタ１５に対して正面側に力が加えられて回路基板２０および支持ゴム２１がＺ方向に引っ張られた場合、延出部９５２が支点となり、上部板状部材２１１の−Ｙ方向側だけがＺ方向に揺動することになる。
【００５６】
次に、図１０（Ｂ）は変形例７に係る支持ゴム９７の外観斜視図である。変形例７に係る支持ゴム９７は、上部板状部材２１１のＹ方向端部が、Ｘ方向および−Ｘ方向に延び、上面から見た形状がＴ字状となっている。そして、上部板状部材２１１のＹ方向端部のうち、Ｘ方向および−Ｘ方向に延びた端部に延出部９７２が設けられ、延出部９７２で上部固定部材４１および下部固定部材３１に挟み込まれる。この場合においても、外部装置１００の着脱時にコネクタ１５に対して正面側に力が加えられて回路基板２０および支持ゴム２１がＺ方向に引っ張られた場合、延出部９７２が支点となり、上部板状部材２１１の−Ｙ方向側だけがＺ方向に揺動することになる。
【符号の説明】
【００５７】
１…オーディオ装置
５…正面下方部分
８…ダイヤル
９…スピーカ
１０…筐体
１３…上面前方部分
１４…正面上方部
１５…コネクタ
２０…回路基板
２１…支持ゴム
３１…下部固定部材
４１…上部固定部材
１００…外部装置
【図１】
2013114871.tif 000003
【図２】
2013114871.tif 000004
【図３】
2013114871.tif 000005
【図４】
2013114871.tif 000006
【図５】
2013114871.tif 000007
【図６】
2013114871.tif 000008
【図７】
2013114871.tif 000009
【図８】
2013114871.tif 000010
【図９】
2013114871.tif 000011